(57)【特許請求の範囲】
【請求項１】
波長分割多重光ネットワーク用のネットワーク要素（１０、１１０）であって、
第１の隣接ネットワーク要素から第１の着信トラフィックを受信するために、第１の隣接ネットワーク要素に接続されるように意図された第１の光入力部（１、１０１）と、
第１の隣接ネットワーク要素に第１の発信トラフィックを送信するために、前記第１の隣接ネットワーク要素に接続されるように意図された第１の光出力部（２、１０２）と、
第２の隣接ネットワーク要素（２００）から第２の着信トラフィックを受信するために、第２の隣接ネットワーク要素に接続されるように意図された第２の光入力部（３、１０３）と、
第２の隣接ネットワーク要素に第２の発信トラフィックを送信するために、前記第２の隣接ネットワーク要素に接続されるように意図された第２の光出力部（４、１０４）と、
第１および第２の挿入および抽出モジュール（３０、４０；１３０、１４０）であって、それぞれが、
共有ポートと複数の選択可能ポートとを備える波長選択性スイッチ（３１、４１；１３１、１４１）であって、前記共有ポートと前記選択可能ポートの第１のポートの間での光ネットワークの波長の第１のサブセットの通過を選択的に許すように構成され、前記共有ポートと前記選択可能ポートの第２のポートの間での光ネットワークの波長の第２のサブセットの通過を選択的に許すように構成された、スイッチと、
波長が第１のサブセットに属する光信号を第１の選択可能ポートを通して、および波長が第２のサブセットに属する光信号を第２の選択可能ポートを通して受信するように、共有ポートに接続された複数の光受信器（３５）と、
波長が第１のサブセットに属する光信号を第１の選択可能ポートを通して、および波長が第２のサブセットに属する光信号を第２の選択可能ポートを通して送信するように、共有ポートに接続された複数の光送信器（３６）と
をそれぞれが備える、第１および第２の挿入および抽出モジュールと、
を備え、
それぞれが第１および第２の挿入および抽出モジュールの第１の選択可能ポートに接続された２つの双方向性分岐路（２１、２２；１２１、１２２）と、前記２つの双方向性分岐路を通して光信号が抽出されるのを可能にするように第１の入力部（１、１０１）に接続された入力分岐路（７、１０７）と、前記２つの双方向性分岐路を通して光信号が挿入されるのを可能にするように第１の出力部（２、１０２）に接続された出力分岐路（１６、１１６）とを備える第１の光カプラ（８、１０８）と、
それぞれが第１および第２の挿入および抽出モジュールの第１の選択可能ポートに接続された２つの双方向性分岐路（２３、２４；１２３、１２４）と、前記２つの双方向性分岐路を通して光信号が抽出されるのを可能にするように第２の入力部（３、１０３）に接続された入力分岐路（１４、１１４）と、前記２つの双方向性分岐路を通して光信号が挿入されるのを可能にするように第２の出力部（４、１０４）に接続された出力分岐路（１０、１１）とを備える第２の光カプラ（１１、１１１）と
をさらに備える、ネットワーク要素。
【請求項２】
第１の入力部と第２の出力部の間を第１の通過トラフィックが通ることを可能にするための第１の一方向性光通過部（９、１０９）と、第２の入力部と第１の出力部の間を第２の通過トラフィックが通ることを可能にするための第２の一方向性光通過部（１３、１１３）とを備えることを特徴とする、請求項１に記載のネットワーク要素。
【請求項３】
第１および第２の通過部のそれぞれは、第１および別々に第２の着信トラフィックの波長をフィルタリングすることによって、第１および別々に第２の通過トラフィックを選択するための波長選択モジュール（６、１５；１０５、１１２）を備えることを特徴とする、請求項２に記載のネットワーク要素。
【請求項４】
前記波長選択モジュールが波長ブロッカを備えることを特徴とする、請求項３に記載のネットワーク要素。
【請求項５】
前記波長選択モジュールが、第１および別々に第２の入力部に接続された共有ポートと、第２および別々に第１の出力部に接続された第１の選択可能ポートと、第１および別々に第２の光カプラの入力分岐路に接続された第２の選択可能ポートとを呈する、波長選択スイッチ（１０５、１１２）を備えることを特徴とする、請求項３または４に記載のネットワーク要素。
【請求項６】
波長選択モジュールが、第１および別々に第２の出力部に接続された共有ポートと、第２および別々に第１の入力部に接続された第１の選択可能ポートと、第１および別々に第２の光カプラの出力分岐路に接続された第２の選択可能ポートとを呈する、波長選択スイッチ（１５、６）を備えることを特徴とする、請求項３または５に記載のネットワーク要素。
【請求項７】
第１および別々に第２の光カプラの前記入力分岐路が、前記第１および別々に第２の着信トラフィックをサンプリングするために出力分割器（５、１２）によって第１および別々に第２の入力部に接続されることを特徴とする、請求項１から４、および６に記載のネットワーク要素。
【請求項８】
第１および別々に第２の光カプラの前記出力分岐路が、出力コンバイナ（１１５、１０６）によって第１および別々に第２の出力部に接続されることを特徴とする、請求項１から５、および７のいずれか一項に記載のネットワーク要素。
【請求項９】
第１および別々に第２の光カプラの前記入力分岐路が、光アイソレータ（５１、５２）を備えることを特徴とする、請求項１から８のいずれか一項に記載のネットワーク要素。
【請求項１０】
第１の挿入および抽出モジュールの波長選択性スイッチ（３１、１３１）の第１の選択可能ポートによって通過を許された波長は、第２の挿入および抽出モジュールの波長選択性スイッチ（４１、１４１）の第１の選択可能ポートによって通過を許された波長とは異なり、第１の挿入および抽出モジュールの波長選択性スイッチの第２の選択可能ポートによって通過を許された波長は、第２の挿入および抽出モジュールの波長選択性スイッチの第２の選択可能ポートによって通過を許された波長とは異なることを特徴とする、請求項１から９のいずれか一項に記載のネットワーク要素。
【発明の詳細な説明】
【技術分野】
【０００１】
本発明は波長分割多重すなわちＷＤＭ光ネットワーク用のネットワーク要素の分野に関し、より詳細にはこのようなネットワーク用のトランスペアレントなスイッチングノードに関する。
【背景技術】
【０００２】
「トランスペアレント」という用語は、信号が電子信号に変換されることなく光のままである伝送システムに適用される。光通信ネットワークにおいてトランスペアレント性は、光−電気−光変換、およびしたがって対応する変換器をなくすことにより、ネットワーク機器のコストを低減することが可能になる特徴である。トランスペアレントなＷＤＭネットワークで用いられるサブシステムは具体的には、再構成可能な光アド／ドロップマルチプレクサすなわちＲＯＡＤＭ、および光クロスコネクトすなわちＯＸＣを含む。このようなサブシステムを構築するためには、波長選択性スイッチすなわちＷＳＳとして知られている機器が特に魅力的である。これはこの機器が、個別構成要素を用いた場合よりもずっと簡単な構造で、縮小されたサイズおよび高い信頼性を有してどのような程度であれ、非常に柔軟な構成を有するスイッチングノードを生成することを可能にするからである。しかしこれは比較的高いコストを呈する。
【０００３】
米国特許出願公開第２００８０５６７１５号では、光信号の挿入、光信号の抽出、および複数の方向の間での光信号のトランスペアレントな伝送などの機能を実行するようにＷＳＳが双方向性的に用いられるトランスペアレントなＷＤＭスイッチングノードアーキテクチャが述べられている。ＷＳＳを双方向的に用いることにより進行の両方向にて、波長減衰調整は信号をその波長に割り当てる。
【先行技術文献】
【特許文献】
【０００４】
【特許文献１】米国特許出願公開第２００８／０５６７１５号明細書
【発明の概要】
【課題を解決するための手段】
【０００５】
一実施形態では本発明は、波長分割多重光ネットワーク用のネットワーク要素を提供し、前記ネットワーク要素は、
第１の隣接ネットワーク要素から第１の着信トラフィックを受信するために、第１の隣接ネットワーク要素に接続されるように意図された第１の光入力部と、
第１の隣接ネットワーク要素に第１の発信トラフィックを送信するために、前記第１の隣接ネットワーク要素に接続されるように意図された第１の光出力部と、
第２の隣接ネットワーク要素から第２の着信トラフィックを受信するために、第２の隣接ネットワーク要素に接続されるように意図された第２の光入力部と、
第２の隣接ネットワーク要素に第２の発信トラフィックを送信するために、前記第２の隣接ネットワーク要素に接続されるように意図された第２の光出力部と、
第１および第２の挿入および抽出モジュールであって、
共有ポートと複数の選択可能ポートとを備える波長選択性スイッチであって、前記共有ポートと前記選択可能ポートの第１のポートの間での光ネットワークの波長の第１のサブセットの通過を選択的に許すように構成され、前記共有ポートと前記選択可能ポートの第２のポートの間での光ネットワークの波長の第２のサブセットの通過を選択的に許すように構成された、スイッチと、
波長が第１のサブセットに属する光信号を第１の選択可能ポートを通して、および波長が第２のサブセットに属する光信号を第２の選択可能ポートを通して受信するように、共有ポートに接続された複数の光受信器と、
波長が第１のサブセットに属する光信号を第１の選択可能ポートを通して、および波長が第２のサブセットに属する光信号を第２の選択可能ポートを通して送信するように、共有ポートに接続された複数の光送信器と
をそれぞれが備える、第１および第２の挿入および抽出モジュールと、
を備え、
それぞれが第１および第２の挿入および抽出モジュールの第１の選択可能ポートに接続された２つの双方向性分岐路と、前記２つの双方向性分岐路を通して光信号が抽出されるのを可能にするように第１の入力部に接続された入力分岐路と、前記２つの双方向性分岐路を通して光信号が挿入されるのを可能にするように第１の出力部に接続された出力分岐路とを備える、第１の光カプラと、
それぞれが第１および第２の挿入および抽出モジュールの第１の選択可能ポートに接続された２つの双方向性分岐路と、前記２つの双方向性分岐路を通して光信号が抽出されるのを可能にするように第２の入力部に接続された入力分岐路と、前記２つの双方向性分岐路を通して光信号が挿入されるのを可能にするように第２の出力部に接続された出力分岐路とを備える、第２の光カプラと
をさらに備える。
【０００６】
他の有利な実施形態ではネットワーク要素は、以下の特徴の１つまたは複数を呈することができる：
−  第１の入力部と第２の出力部の間を第１の通過トラフィックが通ることを可能にするための第１の光通過部と、第２の入力部と第１の出力部の間を第２の通過トラフィックが通ることを可能にするための第２の光通過部とを備える。
−  第１および第２の通過部のそれぞれは、第１および別々に第２の着信トラフィックに適用される波長フィルタリングを通して、第１および別々に第２の通過トラフィックを選択するための波長選択モジュールを備える。
−  波長選択モジュールは、波長ブロッカおよび／または波長選択性スイッチを備える。
−  波長選択モジュールは、第１および別々に第２の入力部に接続された共有ポートと、第２および別々に第１の出力部に接続された第１の選択可能ポートと、第１および別々に第２の光カプラの入力分岐路に接続された第２の選択可能ポートとを呈する、波長選択性スイッチを備える。
−  波長選択モジュールは、第１および別々に第２の出力部に接続された共有ポートと、第２および別々に第１の入力部に接続された第１の選択可能ポートと、第１および別々に第２の光カプラの出力分岐路に接続された第２の選択可能ポートとを呈する、波長選択性スイッチを備える。
−  第１および別々に第２の光カプラの入力分岐路は、前記第１および別々に第２の着信トラフィックをサンプリングするために出力スプリッタによって第１および別々に第２の入力部に接続される。
−  第１および別々に第２の光カプラの出力分岐路は、出力コンバイナによって第１および別々に第２の出力部に接続される。
−  第１および別々に第２の光カプラの入力分岐路は、光アイソレータを備える。
−  第１の挿入および抽出モジュールの波長選択性スイッチの第１の選択可能ポートによって通過を許された波長は、第２の挿入および抽出モジュールの波長選択性スイッチの第１の選択可能ポートによって通過を許された波長とは異なり、第１の挿入および抽出モジュールの波長選択性スイッチの第２の選択可能ポートによって通過を許された波長は、第２の挿入および抽出モジュールの波長選択性スイッチの第２の選択可能ポートによって通過を許された波長とは異なる。
【０００７】
本発明の基礎にある１つの概念は、限られた数のＷＳＳを活用してトランスペアレントなネットワーク要素を構築することである。本発明の基礎にあるもう１つの概念は、激しいネットワーク輻輳、少数の利用可能チャネル、送信器または受信器の故障、送信または受信される信号出力に対する厳しい制約などの状況に対処するためなど、高度の構成の柔軟性を示すこのようなネットワーク要素を達成することである。
【０００８】
添付の図面を参照して、例示のみであり非限定的な実施例として示される、以下の本発明の複数の具体的な実施形態の説明を考察することにより、本発明はより良く理解され、他の目的、詳細、特徴、およびそれらの利点がより明確に明らかとなるであろう。
【図面の簡単な説明】
【０００９】
【図１】本発明の第１の実施形態の機能的な概略図である。
【図２】本発明の第２の実施形態の機能的な概略図である。
【発明を実施するための形態】
【００１０】
覚え書きとして波長選択性スイッチは、複数の選択可能ポートと少なくとも１つの共有ポートとを備え、プログラム可能なマルチプレックス機能またはプログラム可能なデマルチプレックス機能を実行することができる１つの機器である。デマルチプレクサとして動作するときは常に、選択可能ポートは出力端として働き、共有ポートは共通入力端として働く。波長選択性スイッチは、その共有入力端にて受信したあらゆる光信号を、その信号の波長および制御信号に応じて選択的に、その出力端の１つに経路指定することができる。それによってこの機器は、所定のグリッド上に整列された異なる光学波長を有する光信号のプログラム可能なデマルチプレックス機能を行い、それによって共通入力端に存在する各光信号を、その波長およびコマンドに応じて、出力ポートの１つに導くことを可能にする。したがって各出力ポートは、共有入力端に存在する１つのチャネル、共有入力端に存在する複数のチャネルを選択的に受信する、またはチャネルを受信しないことができる。チャネルを削除または阻止する機能は、波長選択性スイッチ内に組み込むことができる。その場合はチャネルは、波長選択スイッチの特定の場所に向けて方向付けられ、そこで吸収される。ＷＳＳの一部のモデルはまた、単一のチャネルを複数のポートに同時に送信することができる（マルチキャスト）。
【００１１】
この同じ１つの機器はまた逆の機能、すなわち出力端と入力端の役割を交換することによって、プログラム可能なマルチプレクシングを行うことができる。その場合は、選択可能ポートは入力端として働き、共有ポートは共通出力端として働く。波長選択性スイッチは、入力端で受信した光信号を、波長およびそれぞれの入力端に応じて選択的に、およびコマンド信号に応じて、その機器の共有出力端に経路指定することができる。当然ながら共通出力端に経路指定される光信号は異なる波長を有するべきである。この状況においては機器は、入力端にて受信したチャネルの中から選択されたチャネル、または受信した信号の中から選択された１組の信号からなる出力の多重化されたものを、その出力端に供給するようにためのプログラム可能なマルチプレックス機能を実行する。各入力ポートでは、１つのチャネル、複数のチャネルを送信することができ、またはチャネルを送信しないことができる。阻止機能が実装される場合は、入力ポートに存在する信号を阻止し吸収することができる。
【００１２】
図１は、分配選択型の全体的なアーキテクチャを有し、第１の隣接ノード１００と第２の隣接ノード２００の間に構成されたＲＯＡＤＭ１０を示す。ＲＯＡＤＭ１０は、入力光ファイバ１および出力光ファイバ２を通して隣接ノード１００と、ならびに入力光ファイバ３および出力光ファイバ４を通して隣接ノード２００と、波長分割多重化信号を交換することができる。ＲＯＡＤＭ１０の主な機能は、選ばれた波長チャネルにて他のノードから受信した信号を局所的に復調するために光信号を抽出し、局所的に発生された信号を選ばれた波長チャネルにて他のノードに送信するために光信号を挿入し、選ばれた波長チャネルにてノード１００と２００の間を進行するトラフィックの通過を許すために光信号をトランスペアレントに送信することである。分配選択型アーキテクチャの１つの利点は、所与の信号の抽出およびトランスペアレントな伝送を一緒に実行できることである（ドロップアンドコンティニュー）。
【００１３】
入力ファイバ１から、１×２光カプラ５は着信するトラフィックのすべてを、通過ライン９と、２×２光カプラの入力分岐路７とに分配する。通過ライン９はプログラム可能なマルチプレクサとして組み立てられたＷＳＳ６の入力ポートに接続され、ＷＳＳ６の出力端は出力ファイバ４に接続される。ＷＳＳ６のもう１つの入力は、出力ライン４上にトラフィックを挿入するために、２×２光カプラ１１の出力分岐路１０に接続される。
【００１４】
したがってＷＳＳ６は、そのプログラミングの結果としての内部構成のために、入力ファイバ１からの通過中のトラフィックを構成する波長チャネルと、カプラ１１から挿入されるべきトラフィックを構成する波長チャネルの両方の、出力４への通過を選択的に許すことを可能にし、カプラ１１の機能については後述する。これらの波長チャネルは、衝突を避けるために互いに異なっていなければならない。
【００１５】
入力ファイバ３から、１×２無色光カプラ１２は着信トラフィックのすべてを、通過ライン１３と、光カプラ１１の入力分岐路１４とに分配する。通過ライン１３はプログラム可能なマルチプレクサとして組み立てられたＷＳＳ１５の入力ポートに接続され、ＷＳＳ１５の出力端は出力ファイバ２に接続される。ＷＳＳ１５のもう１つの入力は、出力ライン２上にトラフィックを挿入するために、光カプラ８の出力分岐路１６に接続される。
【００１６】
したがってＷＳＳ１５は、そのプログラミングの結果としての内部構成のために、入力ファイバ３から進行するトラフィックを構成する波長チャネルと、カプラ８から挿入されるべきトラフィックを構成する波長チャネルの両方の、出力２への通過を選択的に許すことを可能にする。これらの波長チャネルは、衝突を避けるために互いに異なっていなければならない。
【００１７】
それぞれ光カプラ８および１１は双方向的に動作し、それぞれ２つの双方向性分岐路２１および２２と、２３および２４とによって、２つの挿入および抽出モジュール３０および４０に接続される。信号抽出方向ではカプラ８は、入力分岐路７を通して受信した着信トラフィックを、２つの分岐路２１および２２に分配する。信号挿入方向ではカプラ８は、２つの分岐路２１および２２を通して受信した挿入されるべき信号を、出力分岐路１６に合流させる。信号抽出方向ではカプラ１１は、入力分岐路１４を通して受信した着信トラフィックを、２つの分岐路２３および２４に分配する。信号挿入方向ではカプラ１１は、２つの分岐路２３および２４を通して受信した挿入されるべき信号を、出力分岐路１０に合流させる。
【００１８】
挿入および抽出モジュール３０は、双方向的に用いられるＷＳＳ３１を備える。ＷＳＳ３１は２つの選択可能ポートを有し、一方はカプラ８の分岐路２１に接続され、他方はカプラ１１の分岐路２３に接続される。ＷＳＳ３１の共有ポート３２は、抽出されるべき光信号を復調するための１組の光受信器３５と、挿入されるべき光信号を発生するための１組の光送信器３６との両方に接続される。光信号を受信器３５まで導くために、光サーキュレータ３８および分配要素３７が設けられる。分配要素３７は、固定波長チャネルデマルチプレクサまたはＷＳＳまたは出力スプリッタのような無色構成要素とすることができる。この最後の場合には、チューニング可能フィルタなど、復調されるべき波長を選択するために受信器３５内に光フィルタが設けられる。信号コンバイニング要素３９は、光送信器３６によって発生された光信号を一緒にして、サーキュレータ３８に導く。光送信器３６は、波長チューニング可能であることが好ましい。必要であれば信号コンバイニング要素３９は、ＷＳＳまたは無色構成要素とすることができる。ＷＳＳ３１を受信器３５および送信器３６に接続するには、たとえば光カプラおよびアイソレータを利用するなどの他の構成が可能である。
【００１９】
ＷＳＳ３１は、ファイバ１に入るすべてのトラフィックを分岐路２１を通して受信し、ファイバ３に入るすべてのトラフィックを分岐路２３を通して受信する。したがってＷＳＳ３１は、ファイバ１から抽出されるべきトラフィックを形成するチャネルの第１の組と、ファイバ３から抽出されるべきトラフィックを形成するチャネルの第２の組との、すべての光受信器３５への通過を許すように構成することができ、ただしこれら２つの集合が波長に関して厳密に隔てられていることを条件とする。
【００２０】
この制限を改善するため、したがってノード１００からおよびノード２００から来る抽出されるべき同じ波長を有する信号を許容するために、第２の挿入および抽出モジュール４０は設計され、モジュール３０と同一に接続される。それにより上記の２つの信号は、一方はカプラ８の分岐路２１を通ってモジュール３０内で、他方はカプラ１１の分岐路２４を通ってモジュール４０内で受信することができる。そうするために、ＷＳＳ３１および４１が常に、所与の２×２カプラ（８または１１）へまたはそれらから、したがって所与の隣接ノード（１００または２００）へおよびそれらから、相互に相補的な波長の組の通過を許すように、モジュール４０のＷＳＳ４１はＷＳＳ３１とは異なるように構成される。
【００２１】
ＷＳＳ３１の双方向的な使用により、ＷＳＳがカプラ８および１１の１つから受信器３５への波長チャネルの通過を許すように構成されたときは常にまた、送信器３６からその同じカプラにアップリンク方向にこの波長チャネルの通過を許し、ただしこのようなチャネルがこれらの送信器によって実際に発生されることを条件とする。したがって図１のアーキテクチャは同じチャネルが、一方の方向では隣接ノードから受信したトラフィックを抽出するために、他方の方向ではその同じ隣接ノードへトラフィックを挿入するために使用される、波長の配分に特に適している。しかしファイバ１および２上に利用可能なチャネルが十分にあるならば、抽出されるチャネルと挿入されるチャネルを対にすることは必須ではなく、部分的とすることができ、さらにはなくてもよい。
【００２２】
図１では、望ましくない反射により受信した信号が劣化させ得る、挿入されたトラフィックが入力ファイバ１または３内へ送信されることを避けるために、カプラ８および１１の入力分岐路上に、アイソレータ５１および５２が設けられる。しかしこのようなアイソレータは、ＲＯＡＤＭの他の場所に配置することもできる。さらにＷＤＭネットワークの一部の構成要素、たとえばここには示されない光増幅器などは、すでにアイソレータを備えている場合があり、その場合はここに示されるアイソレータ５１および５２は不必要となり得る。
【００２３】
図１のアーキテクチャでは、出力ファイバ２または４の方向に挿入された信号は、ＷＳＳ１５または６内を進行するトラフィック上に重畳される。したがってこのＷＳＳは、抽出されるチャネルの出力レベルに何ら影響を与えずに、挿入されたチャネルおよび進行するチャネルの減衰を個別に調整することができる。したがって完全に双方向性のアーキテクチャと異なり、減衰調整は、抽出されるトラフィックおよび挿入されるトラフィックの両方に対して同じく実行することができる。
【００２４】
前述したように２つのモジュール３０および４０の構成は、所与のノードから来るまたはそれに向かう、挿入および／または抽出する必要がある波長を、大幅な柔軟性を有して選択することを可能にする。挿入および抽出モジュールが所与の隣接ノードとの通信のみに充てられるアーキテクチャと比較して、カプラ８および１１の構成は、隣接ノード１００とのインターフェース６０および隣接ノード２００とのインターフェース７０の、ＷＤＭＯＮの２つのインターフェースの間の、ＷＤＭＯＮの信号挿入および抽出リソースのすべての効率的な共有を可能にする。結果として、隣接ノードの一方に向かう挿入されるべき波長チャネルおよび／またはそれから来る抽出されるべき波長チャネルを、他方のノードに向かうおよび／またはそれから来る波長チャネルよりもずっと多く含むなどの、非常に非対称なトラフィックを処理することが可能である。さらに受信器および送信器を共有することによってＲＯＡＤＭ１０は、これらの受信器および送信器の一部の故障時さえも、２つの隣接ノードとのその通信機能のすべてを維持することが可能になる。
【００２５】
図１のアーキテクチャは、特にＷＳＳ６および１５内での挿入のために単一のポートしか用いないので、１×２のＷＳＳを用いて実現することができる。しかしＲＯＡＤＭの機能を強化するなどのために、より多数のポートを呈するＷＳＳを用いることもできる。
【００２６】
次に図２を参照して、事前選択してコンバインする（ｐｒｅｓｅｌｅｃｔ  ａｎｄ  ｃｏｍｂｉｎｅ）タイプの全体的なアーキテクチャを有し、第１の隣接ノード１００と第２の隣接ノード２００の間に構成されたＲＯＡＤＭ１１０について述べる。図１のものと同一または類似の図は、１００だけ増された同じ参照番号を有する。図１と異なり入力ファイバ１０１は、抽出されるべき波長チャネルを分岐路１０７に、および通過中のチャネルを通過ライン１０９に送信するために、プログラム可能なデマルチプレクサとして動作するＷＳＳ１０５の共有ポートに接続される。したがって、同じチャネルがトランスペアレントに抽出および通過の両方となることは、ＷＳＳ１０５がこの機能を実行するように特に設計されない限りできない。通過ライン１０９の他方の端部では、分岐路１１０から来る挿入されるべきチャネルが無色コンバイナ１０６によって、通過中のチャネルと合流される。挿入されたチャネルの減衰調整は、ＷＳＳ１３１および１４１内で行うことができる。抽出されたチャネルおよび通過中のチャネルの独立の減衰調整は、ＷＳＳ１０５内で行うことができる。逆方向に伝送されるトラフィックにも同様な考察が当てはまる。残りについてはこのＲＯＡＤＭは、図１のものと同様な機能を有する。
【００２７】
図１および２の要素を組み合わせるなどにより、他のアーキテクチャを設計することもできる。それにより一実施形態ではＷＳＳは、通過ラインの各端部に設けられる。他の実施形態では、光カプラなどの無色構成要素のみが、通過ラインの両端に設けられる。この後者の場合にはさらに、隣接ノードに通過させないチャネルを阻止するために、通過ラインのそれぞれに波長ブロッカを設けることができる。
【００２８】
本発明について複数の特定の実施形態に関連して述べてきたが、当然ながら本発明はそれらに何ら限定されず、述べられた手段のすべての技術的に等価なものを含み、それらの組み合わせが本発明の範囲に含まれる場合は前記組み合わせを含む。
【００２９】
「備える」または「含む」という動詞およびそれらの活用形の使用は、請求項に記載されたもの以外の要素またはステップの存在を除外するものではない。要素またはステップに対する不定冠詞「ａ」または「ａｎ」の使用は、特に明記されない限り、複数のこのような要素またはステップの存在を除外するものではない。複数の手段またはモジュールは、単一のハードウェア要素によって示すことができる。
【００３０】
特許請求の範囲においては、いずれの括弧内の参照記号も、その請求項を限定するものと解釈されるべきではない。
【図１】
0005410620.tif 000002
【図２】
0005410620.tif 000003